(57)【要約】      （修正有）【課題】カメラレンズやＬＥＤライトに貼付しても、剥がした際に糊が残らないプライバシー保護および光防止用シールを提供する。【解決手段】遮蔽用シール２は、電子機器１のカメラレンズまたはライトを覆うことができる寸法および形状を有する、平面状の材料からなる基材と、基材上に設けられた、易剥離性粘着剤からなる粘着層とを含み、基材が、被着面からの、または被着面への光線を遮蔽することができ、粘着層が、剥離される際に被着面に残留せず、粘着層の面積が、基材の面積の５０％以上を占める。【選択図】図１
0003229389.tif 000002
【実用新案登録請求の範囲】
【請求項１】
基材と、前記基材上に設けられた粘着層とを含み、
前記基材が、被着面からの、または被着面への光線を遮蔽することができ、
前記粘着層が、剥離される際に被着面に残留せず、
前記粘着層の面積が、前記基材の面積の５０％以上を占める、遮蔽用シール。
【考案の詳細な説明】
【技術分野】
【０００１】
本考案は、カメラレンズやＬＥＤライトに貼付しても、剥がした際に糊が残らないプライバシー保護および光防止用シールに関する。
【背景技術】
【０００２】
現在市販されているノートパソコンやスマートフォンなどの端末は、多くの製品がカメラ機能を備え、撮影のためのレンズを内蔵している。カメラ機能は、写真や動画を撮影して記録に残すこと、使用者をリアルタイムで撮影して顔を見ながらの会話を可能にすることなどの利便性を提供している。一方で、意図せぬ設定変更や不正な手段による遠隔操作などによって、使用者が気づかないまま内蔵カメラによる撮影が行われるという問題も生じている。
【０００３】
このような問題を防止するため、シールや付箋のような遮蔽物をレンズの上に貼付し、レンズを隠して使用する人もいる。しかし、在宅ワークやテレワークの普及によって、カメラ機能を使用して遠隔会議を行う機会が増えている。このような場面では、レンズに貼付した遮蔽物を一時的に外すことになる。
【０００４】
しかし、一般的なシールでは、剥がした際に糊の一部が、被着面に残る場合がある。レンズに付着した糊は、撮影する際の障害となる。また、付着した糊を除去しようとして、レンズに施された塗膜を傷つけるという別の問題を生じる場合がある。そのため、製品としての価値を損なう原因となる。
【０００５】
シールの代わりに付箋を用いた場合には、糊が被着面に残ることは防止できる。しかし、付箋は一般に、粘着部が局所的にしか設けられていない。そのため、風を受けると粘着部以外が容易に振動し、使用者に煩わしさを感じさせる場合がある。
【０００６】
カメラのレンズ以外では、電化製品の表示灯を隠すために、同様にシールや付箋を貼る人がいる。表示灯とは、ＬＥＤなどのライトを点灯させることで、電化製品が動作中であることや、動作のモードなどの情報を示すためのライトである。例えば、エアコンディショナーの表示灯は、就寝時に部屋を暗くしている場合には、眩しく感じられることがある。また、パーソナル・コンピュータ用のディスプレイの表示灯は、使用時に視界に入るため、煩わしく感じられる場合がある。これらへの対処として一般的なシールまたは付箋を用いた場合の欠点は、前述の通りである。
【０００７】
特許文献１には、撮影機器のレンズ部分を覆うように貼り付けて撮影を不可能にする、盗撮防止用ラベルが開示されている。しかしながら、特許文献１の発明は、基材が、透明な表層、不透明な中間層、および文字・図形等のパターンを形成する剥離剤層からなる、複雑な構成である。そのため、製造コストを低減することが可能な、より簡易な構成という観点において、改善の余地がある。
【先行技術文献】
【特許文献】
【０００８】
【特許文献１】特開２００８−２４２１８８号公報
【考案の概要】
【考案が解決しようとする課題】
【０００９】
本考案は、カメラレンズやＬＥＤライトに貼付しても、剥がした際に糊が残らないプライバシー保護および光防止用シールを提供することを目的とする。
【課題を解決するための手段】
【００１０】
上記課題を解決するため、本考案は、基材と、前記基材上に設けられた粘着層とを含み、前記基材が、被着面からの、または被着面への光線を遮蔽することができ、前記粘着層が、剥離される際に被着面に残留せず、前記粘着層の面積が、前記基材の面積の５０％以上を占める、遮蔽用シールを提供する。
【考案の効果】
【００１１】
本考案による遮蔽用シールは、光線を遮蔽する基材でカメラレンズまたはＬＥＤライトを覆うことによって、予期せぬ撮影をされた場合であってもプライバシーを保護し、または表示灯の光を隠すことができる。また、基材面積に対する粘着層の割合が十分に大きいことによって、貼付している間の不都合を防止することができる。
【図面の簡単な説明】
【００１２】
【図１】本考案による遮蔽用シールの一実施形態を示す概略図である。
【考案を実施するための形態】
【００１３】
本考案による遮蔽用シールに用いる基材は、平面状であり、光線を遮蔽することが可能な、任意の材料から作成されうる。具体例としては、上質紙、アート紙、合成紙などが挙げられるが、これらに限定されるものではない。
【００１４】
本考案による遮蔽用シールに用いる基材は、光線を遮蔽することが可能である限り、無着色であってもよく、着色されていてもよい。また、画像や文字などが印刷されていてもよい。
【００１５】
本考案において、「光線を遮蔽する」とは、少なくとも可視光領域の光を低減すること、好ましくは、実質的に完全に光を透過しないことを意味する。カメラレンズに貼付して予期せぬ撮影を防止するためには、光を完全に透過しない基材が好適である。一方、表示灯の光を隠す場合には、光線の強度を抑えるだけで十分な場合もある。
【００１６】
被着面に残留しない粘着層は、被着面から遮蔽用シールを剥がすことを容易にするため、遮蔽用シールが剥落しない範囲内で弱い粘着力を有する。また、剥がした際に一部が被着面に残ることを防止するため、十分な一体性を有することが好ましい。さらに、粘着層の粘着力は、被着面側より基材側が強いことが好ましい。
【００１７】
本考案による遮蔽用シールは、被着面から剥がすことを容易にするため、基材の一部が粘着部を有しないことによる、つまみ部を備えてもよい。ただし、つまみ部が大きすぎると、風によって振動するという不都合が生じるため、つまみ部の面積は、基材の面積の５０％以下である。
【００１８】
本考案による遮蔽用シールは、任意の形状を有してよい。例えば、スマートフォンにおいては、カメラレンズの付近に指紋センサや光センサが配置されている場合がある。また、レンズやセンサの周囲には、端末筐体において段差がある場合もある。したがって、センサを覆わず、段差に沿って貼付することが可能となるように、適宜形状を調整することが好ましい。
【００１９】
なお、本考案は上記の実施形態に限定されるものではなく、本考案の趣旨に基づいて種々変形させることが可能であり、それらを本考案の範囲から排除するものではない。
【符号の説明】
【００２０】
１  スマートフォン
２  遮蔽用シール
【図１】
0003229389.tif 000003
【手続補正書】
【提出日】令和2年9月10日(2020.9.10)
【手続補正１】
【補正対象書類名】実用新案登録請求の範囲
【補正対象項目名】全文
【補正方法】変更
【補正の内容】
【実用新案登録請求の範囲】
【請求項１】
電子機器のカメラレンズまたはライトを覆うことができる寸法および形状を有する、平面状の材料からなる基材と、前記基材上に設けられた、易剥離性粘着剤からなる粘着層とを含み、
前記基材が、被着面からの、または被着面への光線を遮蔽することができ、
前記粘着層が、剥離される際に被着面に残留せず、
前記粘着層の面積が、前記基材の面積の５０％以上を占める、遮蔽用シール。